(57)【要約】      （修正有）【課題】使用者の上歯と下歯の間の位置調整によって歯ぎしりを減少させる歯分離システム。【解決手段】歯分離システムは左ベース部材（１２）と右ベース部材（１４）を有する。左、右ベース部材（１２、１４）はそれぞれ略垂直方向の上面および下面、外縁（２０）、前方部（２２）、後方部（２４）、および内縁を有する。各ベース部材（１２、１４）は略楕円形の中心領域、前方領域、半円の後方領域を有する。弓形形状の支持部材（３０）は略垂直方向に位置できる。支持部材（３０）は内面および外面（３２、３４）、上縁および下縁を有する。上縁はベース部材（１２、１４）と外縁（２０）において垂直に一体的に形成される。支持部材（３０）はベース部材（１２、１４）に隣接した位置に終端を有する。支持部材（３０）はベース部材の間に弓形の前部分を有する。ベース部材（１２、１４）の下面は支持部材（３０）の下縁から高さ方向に離れている。【選択図】図１
2017086862.tif 000002
【特許請求の範囲】
【請求項１】
それぞれ、略水平方向にある上面および下面を有し、外縁、前方部、後方部、および内縁を有し、略楕円形の中心領域、前方領域、および半円の後方領域を有する左ベース部材および右ベース部材と、
略垂直方向に位置できる弓形の形状であり、内面および外面、上縁および下縁を有する支持部材とを有し、
前記上縁はベース部材と前記外縁において垂直に、一体的に形成され、
支持部材はベース部材に隣接した位置に終端を有し、
支持部材はベース部材の間に位置する弓形の前部分を有し、
ベース部材の前記下面は前記前部分の上縁から高さ方向に離れていること
を特徴とする歯分離システム。
【請求項２】
支持部材には二つの拡大領域（４０）が形成され、各拡大領域は連結したベース部材の下に位置し、二つの結合線（４２）があり、各結合線は連結した拡大領域と連結したベース部材の間に位置し、各結合線は、連結した前方部の後方に連結した後方部の前方に向かって伸び、各拡大領域には各拡大領域と支持部材の間にある切り欠きノッチ（４４）を有し、各ベース部材の前記内縁は、拡大領域の上方においてS形状の曲線に形成されることをさらに特徴とする、請求項１の歯分離システム（１０）。
【請求項３】
支持部材には二つの拡大領域（１０４）が形成され、各拡大領域（１０４）は上縁と下縁を有し、二つの結合線（１０８）があり、各結合線は連結した拡大領域と連結したベース部材の間に位置し、支持部材の各端の結合線は連結した上縁と下縁から高さ方向に離れて位置し、支持部材は内面（３２）と外面（３４）を有し、該内面および該外面は全範囲にわたって１．０〜４．０ｍｍの厚み分離れ、前記下面から測定されたベース部材と前記下縁から測定された支持部材の間の垂直高さは１〜２ｃｍであり、前記拡大領域の幅は１．５〜２．５ｃｍであることをさらに特徴とする、請求項１の歯分離システム（１００）。
【請求項４】
支持部材には二つの拡大領域（２０４）が形成され、各拡大領域は連結したベース部材の下に位置し、各拡大領域は垂直に測定された共通の高さを有し、二つの結合線（２０６）があり、各結合線は連結した拡大領域と連結したベース部材の間に位置し、各拡大領域は１．０〜２．０ｃｍの垂直に測定された高さを有し、各拡大領域は１．５〜２．５ｃｍの水平に測定された幅を有し、各拡大領域は、１．０〜４．０ｍｍの厚みを有し、矩形の切り欠き（２０８）が各拡大領域に形成され、各々の矩形の切り欠きは各拡大領域の高さの２５〜７５パーセントの高さを有し、各拡大領域の幅の２５〜７５パーセントの幅を有することをさらに特徴とする、請求項１の歯分離システム（２００）。
【請求項５】
それぞれ、略水平方向にある上面および下面を有し、外縁、前方部、後方部、および内縁を有し、略楕円の中心領域、前方領域、半円の後方領域を有する左ベース部材および右ベース部材と、
略垂直方向に位置できる弓形の形状であり、内面および外面、上縁および下縁を有する支持部材とを有し、
前記上縁はベース部材と前記外縁において垂直に、一体的に形成され、
支持部材はベース部材に隣接した位置にある終端を有し、
支持部材はベース部材の間に位置する弓形の前部分を有し、
ベース部材の前記下面は該前部分の上縁から高さ方向に離れ、
二つの拡大領域（２０４）が支持部材に形成され、各拡大領域は連結したベース部材の下に位置し、支持部材の前記上縁には、拡大領域とともに鋭角の上ノッチが形成され、支持部材の前記下縁には、拡大領域とともに鋭角の下ノッチが形成され、
二つの結合線（２０６）があり、各結合線は連結した拡大領域と連結したベース部材の間に位置し、各拡大領域は１．０〜２．０ｃｍの垂直に測定された高さを有し、各拡大領域は、１．５〜２．５ｃｍの水平に測定された幅を有し、各拡大領域は、１．０〜４．０ｍｍの厚みを有し、
矩形の切り欠き（２０８）が各拡大領域に形成され、各矩形の切り欠きは各拡大領域の高さの２５〜７５パーセントの高さを有し、各拡大領域の幅の２５〜７５パーセントの幅を有すること
を特徴とする歯分離システム。
【請求項６】
支持部材（３０４）全体がベース部材の間に位置することを特徴とし、
さらに、上方に伸びる支持部材の間に伸びる矩形の切り欠き（３０８）を有し、各矩形の切り欠きは各拡大領域の高さの２５〜７５パーセントの高さを有し、各矩形の切り欠きは各拡大領域の幅の２５〜７５パーセントの幅を有することを特徴とする、請求項１の歯分離システム（３００）。
【請求項７】
支持部材は単一の弓形の部材であることを特徴とする、請求項１のシステム。
【請求項８】
支持部材は二つの高さ方向に離れた弓形の部材を有することを特徴とする、請求項１のシステム。
【請求項９】
上歯と下歯の間の位置調整によって歯ぎしりを減少させるための歯分離システム（１０）であって、
歯ぎしりの減少は安全で便利で経済的方法で行われ、
前記システムは、左ベース部材（１２）と、同様に構成される右ベース部材（１４）を有し、
左ベース部材と右ベース部材は、使用時、使用者が直立姿勢の時に使用者の歯の間に略水平面に位置し、
各ベース部材は、使用時、使用者の上歯に接触して位置できる上面（１６）を有し、また、使用時、使用者の下歯に接触して位置できる下面（１８）を有し、上面と下面はその全範囲にわたって、１．０〜４．０ｍｍの厚み分離れ、
各ベース部材は、中心前方部（２２）および横方向に離れた後方部（２４）と、外縁（２０）を有し、
各ベース部材は、内縁（２６）を有し、３３ｍｍプラスマイナス１０パーセントの長さをもつ楕円の中心領域（２８）を有し、第一幅を有する弓形の前方領域、第一幅よりも大きい第二幅を有する半円の後方領域を有し、
前記システムは弓形の形状である支持部材（３０）を有し、
支持部材は、使用時、使用者が立っている間使用者の歯茎の外側かつ使用者の頬と下唇の内側に略垂直方向に位置でき、
支持部材は上縁（３６）および下縁（３８）を有し、
前記上縁はベース部材と前記外縁において垂直にまた一体的に形成され、
支持部材は５〜１０ｍｍの高さを有し、拡大後方領域（４０）を有し、
支持部材はベース部材の後方部から離れた終端を有し、
下面から測定されたベース部材と、下縁から測定された支持部材との間の高さは１．０〜２．０ｃｍであり、
水平に測定された拡大後方領域の幅は１．５〜２．５ｃｍであり、
拡大後方領域（４０）は支持部材に形成され、
各拡大後方領域は連結したベース部材の下に位置し、
二つの結合線（４２）があり、
各結合線は、連結した拡大領域と連結したベース部材の間に位置し、
各結合線は、連結した前方部の後方に連結した後方部の前方にむけて伸び、
各拡大領域において切り欠きノッチ（４４）が各拡大領域と支持部材の間にあり、
各ベース部材の前記内縁は、前記拡大後方領域の上方において、S形曲線（４６）に形成され、
前記システムは、限られた柔軟性と弾性を有する一つの材料で作られ、材料はシリコーン、熱可塑性エラストマー、ラテックス、樹脂や有機材料などの限られた柔軟性と弾性をもつ材料から選ばれること
の組み合わせによって特徴付けられる、歯分離システム（１０）。
【発明の詳細な説明】
【技術分野】
【０００１】
本発明は、歯分離システムに関し、特に、安全、便利、経済的な方法で行われる、使用者の上歯と下歯の間の位置調整による歯ぎしりの減少に関する。
【背景技術】
【０００２】
従来技術において、既知の設計と構造の歯分離システムが使用されていることが知られている。さらに具体的には、歯ぎしりを減少させるためにこれまでに考案され使用された既知の設計、構造の歯分離システムは、数えきれない目的と要求を満足するために開発された多くの従来技術に取り囲まれた数えきれない設計にもかかわらず、基本的には慣れ親しんだ、想定内の、分かりきった構造形状で成り立っていることが知られている。
【０００３】
これらの考案は、それぞれ特定の目的と要求を満たすが、使用者の上歯と下歯の間の位置調整によって、安全、便利、経済的な方法で歯ぎしりを減少させる歯分離システムについて説明していない。
【０００４】
この点において、安全、便利、経済的な方法で、使用者の上歯と下歯の間の位置調整によって歯ぎしりを減少させるために使用できる、新しく改良された歯分離システムが継続的に必要とされている。これに関して、本発明は十分にこの必要性を満たす。
【発明の概要】
【発明が解決しようとする課題】
【０００５】
従来技術において現在存在する、既知の設計と構造を有する既知の種類の歯分離システム固有の前述の欠点に鑑みて、本発明は改良された歯分離システムを提供する。したがって、本発明の全体的な目的は、後に詳細に記載するように、従来技術のすべての利点を有し、欠点を有さない、新しく改良された歯分離システムと方法を提供することである。
【課題を解決するための手段】
【０００６】
本発明はまた、左ベース部材（１２）および右ベース部材（１４）を有し、各ベース部材は、略水平方向にある上面および下面（１６）、（１８）を有し、各ベース部材は、外縁（２０）、前方部（２２）、後方部（２４）、および内縁（４６）を有し、各ベース部材は、略楕円の中心領域、前方領域、および半円の後方領域を有し、略垂直方向に位置できる弓形の形状である、内面および外面、上縁および下縁（３６）、（３８）を有する支持部材（３０）を有し、前記上縁はベース部材と前記外縁において垂直に、一体的に形成され、支持部材はベース部材に隣接した位置に終端を有し、支持部材はベース部材の間に位置する弓形の前部分を有し、ベース部材の前記下面は該前部分の上縁から高さ方向の間隔だけ離れ、二つの拡大領域（４０）（２０４）が支持部材に形成され、各拡大領域は連結したベース部材の下に位置し、支持部材の前記上縁には、拡大領域とともに鋭角の上ノッチが形成され、支持部材の下縁には、拡大領域とともに鋭角の下ノッチが形成され、二つの結合線（４２）（２０６）を有し、各結合線は連結した拡大領域と連結したベース部材の間に位置し、各拡大領域は１．０〜２．０ｃｍの、垂直に測定された高さを有し、各拡大領域は、１．５〜２．５ｃｍの水平に測定された幅を有し、各拡大領域は、１．０〜４．０ｍｍの厚みを有し、実施形態（２００）では、矩形の切り欠き（２０８）が各拡大領域に形成され、各矩形の切り欠きは各拡大領域の高さの２５〜７５パーセントの高さを有し、各拡大領域の幅の２５〜７５パーセントの幅を有することを特徴とする、歯分離システムを提供する。
【０００７】
本発明はまた、上歯と下歯の間の位置調整によって歯ぎしりを減少させるための歯分離システム（１０）であって、歯ぎしりの減少は安全で便利で経済的方法で行われ、前記システムは、左ベース部材（１２）と、同様に構成される右ベース部材（１４）を有し、左ベース部材と右ベース部材は、使用時、使用者が直立姿勢の時に使用者の歯の間に略水平面に位置でき、各ベース部材は、使用時、使用者の上歯に接触して位置することができる上面（１６）を有し、また、使用時、使用者の下歯に接触して位置することができる下面（１８）を有し、上面と下面はその全範囲にわたって、１．０〜４．０ｍｍの厚み分離れ、各ベース部材は、中心前方部（２２）および横方向に離れた後方部（２４）と、外縁（２０）を有し、各ベース部材は、内縁（２６）を有し、３３ｍｍプラスマイナス１０パーセントの長さをもつ楕円の中心領域（２８）を有し、第一幅を有する弓形の前方領域、第一幅よりも大きい第二幅を有する半円の後方領域を有し、前記システムは弓形の形状である支持部材（３０）を有し、支持部材は、使用時、使用者が立っている時に使用者の歯茎の外側かつ頬と下唇の内側に略垂直方向に位置でき、支持部材は上縁（３６）および下縁（３８）を有し、前記上縁はベース部材と前記外縁において垂直にまた一体的に形成され、支持部材は拡大後方領域（４０）とともに５〜１０ｍｍの高さを有し、支持部材はベース部材の後方部から離れた終端を有し、下面から測定されたベース部材と、下縁から測定された支持部材との間の高さは１．０〜２．０ｃｍであり、水平に測定された、拡大後方領域の幅は１．５〜２．５ｃｍであり、拡大後方領域（４０）は支持部材に形成され、各拡大後方領域は連結したベース部材の下に位置し、二つの結合線（４２）があり、各結合線は、連結した拡大領域と連結したベース部材の間に位置し、各結合線は、連結した前方部の後方に連結した後方部の前方にむけて伸び、各拡大領域において切り欠きノッチ（４４）が各拡大領域と支持部材の間にあり、各ベース部材の前記内縁は、前記拡大後方領域の上方において、S型曲線（４６）に形成され、前記システムは、限られた柔軟性と弾性を有する一つの材料で作られ、材料はシリコーン、熱可塑性エラストマー、ラテックス、樹脂や有機材料などの限られた柔軟性と弾性をもつ材料から選ばれることの組み合わせによって特徴付けられる、歯分離システム（１０）を提供する。
【０００８】
本発明は、基本的に、左ベース部材と右ベース部材を有する歯分離システムを含む。各ベース部材は、略水平方向の上面と下面を有する。各ベース部材は外縁、前方部、後方部、および内縁を有する。各ベース部材は略楕円形の中心領域と前方領域と半円の後方領域を有する。弓形形状の支持部材はほぼ垂直方向に位置する。支持部材は内面と外面を有する。支持部材は上縁と下縁を有する。上縁は外縁においてベース部材と垂直に一体的に形成される。支持部材はベース部材の隣接した位置に終端を有する。支持部材は、ベース部材の間にある弓形の前部分を有する。ベース部材の下面は、前部分の上縁から高さ方向の間隔だけ離れている。
【０００９】
このように、後述する詳細な説明がよく理解されるように、また、本願の技術への貢献がより理解されるように、かなり広く、本発明のより重要な特徴が概説された。もちろん、後述される、また添付する特許請求の範囲の対象項目を形成する、本発明のさらなる特徴が存在する。
【００１０】
この点において、少なくとも本発明の一つの実施形態について詳細に説明する前に、本発明はその応用が、後述の記載で説明され、添付される図面において説明される構造の詳細および部品の配置に限定されるものではないことを理解されなければいけない。本発明は、他の実施形態も可能であり、さまざまな方法で実施されることが可能である。また、ここで用いられる表現や専門用語は記述目的であり、限定するものとみなされるべきではないことが理解されなければいけない。
【００１１】
したがって、当業者は、本記載の基礎となっている概念が、本発明のいくつかの目的を達成するために、他の構造、方法、およびシステムを設計するための基礎として容易に利用されることを理解するだろう。よって、特許請求の範囲は、本発明の意図と範囲から離れない限り、そのような同等の構造を含むとみなされるべきことが重要である。
【００１２】
したがって、本発明の目的は、既知の設計と構造の従来技術の歯分離システムのすべての利点を有し、また欠点を有さない、新しく、改良された歯分離システムを提供することである。
【００１３】
本発明のもう一つの目的は、簡単に、効率的に製造販売ができる、新しく、改良された歯分離システムを提供することである。
【００１４】
本発明のさらなる目的は、耐久性があり、信頼性のある、新しく、改良された歯分離システムを提供することである。
【００１５】
本発明のさらなる目的は、材料および労働の両方に関して低コストで製造することが可能であり、それによって一般購買者に低価格での販売が可能であり、一般購買者が経済的に利用可能である、新しく、改良された歯分離システムを提供することである。
【００１６】
最後に、本発明のさらにもう一つの目的は、安全、便利、経済的方法で、使用者の上歯と下歯の間の位置調整によって歯ぎしりを減少させる歯分離システムを提供することである。
【００１７】
これらは、本発明の他の目的とともに、本発明を特徴付けるさまざまな新規の特徴とともに、明細書に添付され、また一部を形成する特許請求の範囲において詳細に説明される。
【００１８】
本発明、その作用の利点、および使用者によって得られる特定の目的をさらに理解するために、本発明の好適な実施形態が説明されている添付図および記述事項を参考にするべきである。
【図面の簡単な説明】
【００１９】
後述の詳細の説明を考慮すれば、本発明はより理解され、先に説明した以外の目的が明らかになるだろう。その説明は、次の添付図面を照会する。
【００２０】
【図１】本発明の原理に従って構成された、第一実施形態の歯分離システムの斜視図である。
【図２】図１に示すシステムの正面図である。
【図３】図１、図２に示すシステムの平面図である。
【図４】本発明の原理に従って構成された、代替の第二実施形態の歯分離システムの斜視図である。
【図５】図４に示すシステムの正面図である。
【図６】図４、図５に示すシステムの平面図である。
【図７】本発明の原理に従って構成された、代替の第三実施形態の歯分離システムの斜視図である。
【図８】図７に示すシステムの正面図である。
【図９】図７、８に示すシステムの平面図である。
【図１０】本発明の原理に従って構成された、代替の第四実施形態の歯分離システムの斜視図である。
【図１１】図１０に示すシステムの正面図である。
【図１２】図１０、１１に示すシステムの平面図である。
【発明を実施するための形態】
【００２１】
図面、特に図１を参照し、本発明の原則および概念を具体化し、符号１０に示される、新しく改良された歯分離システムの好適な実施形態を説明する。
【００２２】
本発明の第一実施形態において、歯分離システム１０は複数の構成要素から構成される。それらの構成要素は、最も広い意味で、左ベース部材、右ベース部材、支持部材を含む。それらの構成要素は、個別に構成され、望ましい目的を達成するために互いに関連付けられる。
【００２３】
歯分離システム１０は、使用者の上歯と下歯の間の位置調整によって、歯ぎしりを減少させるものである。歯ぎしりの減少は、安全、便利、経済的方法で行われる。まず、左ベース部材１２と、同様に構成される右ベース部材１４が設けられる。右ベース部材と左ベース部材は、使用時、使用者が直立の姿勢の間、すなわち、立っているか座っている間、使用者の歯の間に略水平面に配置できる。各ベース部材は、使用時に使用者の上歯に接触する位置にある上面１６と、下歯に接触する位置にある下面１８を有する。上面と下面は、好適には全範囲にわたって１．０〜４．０ｍｍの厚み分離れている。各ベース部材は外縁２０を有し、中央前方部２２、横方向に間隔をあけた後方部２４を有する。
【００２４】
各ベース部材は内縁２６を有する。各ベース部材は楕円形の中心領域２８を有し、その好適な長さは３３ｍｍプラスマイナス１０％である。各ベース部材は第一幅を有する弓形の前方領域を有する。各ベース部材１２、１４は、第二幅を有する半円の後方領域を有し、第二幅は第一幅よりも大きい。
【００２５】
次に支持部材が設けられる。支持部材３０は弓形の形状である。支持部材は、使用時、使用者の歯茎の外側かつ使用者の頬および下唇の内側に、使用者が直立の姿勢の間、すなわち、立っているか座っている間、略垂直方向に位置する。支持部材は内面３２と外面３４を有する。内面と外面は、全範囲にわたって、好適には１．０〜４．０ｍｍの厚み分離れている。支持部材は上縁３６と下縁３８を有する。上縁は、ベース部材とその外周において、垂直に、一体的に形成されている。支持部材は好適には５〜１０ｍｍの高さを有し、拡大後方領域４０を有する。支持部材は、ベース部材の後方部から間隔をあけた位置に終端を有する。下面から測定したベース部材と下端から測定した支持部材の間の垂直距離または高さは、好適には１〜２ｃｍである。水平に測定された拡大後方領域の幅は好適には１．５〜２．５ｃｍである。
【００２６】
拡大後方領域は支持部材に形成される。各拡大後方領域は、ベース部材のうち連結するベース部材の下に位置する。次に、二つの結合線４２が設けられる。各結合線は、連結する側の拡大領域と、連結する側のベース部材との間にある。各結合線は連結する側の前方部の後方に、連結する側の後方部の前方に向けて伸びる。各拡大領域における切り欠きノッチ４４は、各拡大領域と支持部材の間に設けられている。各ベース部材の内縁には、拡大後方領域の上方にS状曲線４６が形成されている。
【００２７】
本システムは、限られた柔軟性と弾性をもつ一つの材料から作られる。材料は、シリコーン、熱可塑性エラストマー、ラテックス、樹脂、および有機材料などの限られた柔軟性と弾性を有する材料の種類から選択される。
【００２８】
本発明の、第二の、代替実施形態を図４、５、６に示す。この実施形態では、歯分離システム１００はさらに支持部材に形成された二つの拡大領域１０４を有する。各拡大領域１０４は上縁と下縁を有する。二つの結合線１０８が設けられる。各結合線は、連結した拡大領域と連結したベース部材の間に位置する。各拡大領域は共通の垂直に測定された高さを有し、その好適な高さは１．０〜２．０ｃｍである。各拡大領域は、好適には１．５〜２．５ｃｍの水平に測定された幅を有する。各拡大領域は、好適には１．０〜４．０ｍｍの厚みを有する。
【００２９】
本発明のもう一つの代替実施例である、第三実施例を図７、８、９に示す。この実施例では、歯分離システム２００はさらに支持部材に形成された二つの拡大領域２０４を含む。各拡大領域は、連結されたベース部材の下に位置する。さらに二つの結合線２０６が設けられる。各結合線は連結された拡大領域と連結されたベース部材の間に位置する。各拡大領域は、好適には１．０〜２．０ｃｍの垂直に測定された高さを有する。各拡大領域は、好適には１．５〜２．５ｃｍの水平に測定された幅を有する。各拡大領域は、好適には１．０〜４．０ｍｍの厚みを有する。各拡大領域には矩形の切り欠き２０８が形成される。各々の矩形の切り欠きは、好適には、各拡大領域の高さの２５〜７５パーセントの高さを有する。各々の矩形の切り欠きは、好適には、各拡大領域の幅の２５〜７５パーセントの幅を有する。
【００３０】
二つの拡大領域２０４は支持部材の端に形成される。各拡大領域は連結されたベース部材の下に位置する。支持部材の上端には、拡大領域とともに、鋭角で上方ノッチが形成される。支持部材の下端には、拡大領域とともに、鋭角で下方ノッチが形成される。
【００３１】
本発明のはじめの３つの実施形態では、各ベース部材の最前部は、支持する拡大後方領域の最前部よりも前方に位置することが示されている。また、それぞれの実施形態では、各ベース部材の最後部は、支持する拡大後方領域の最後部よりも後方に位置することが示されている。しかし、各ベース部材の最前部は、支持する拡大後方領域の最前部の場所、または最前部に隣接した場所に位置してもよいことを理解しなければいけない。同様に、各ベース部材の最後部は、支持する拡大後方領域の最後部の場所か、または最後部に隣接した場所に位置してもよい。
【００３２】
本願の最後の第四実施形態を図１０、１１、１２に示す。この実施形態の歯分離システム３００では、支持部材３０４全体が、ベース部材の間に位置する。この実施形態においては、システムはさらに、上方に伸びる、支持部材の間に伸びる矩形の切り欠き３０８を含む。各々の矩形の切り欠きは、好適には、各拡大領域の高さの２５〜７５パーセントの高さを有する。各々の矩形の切り欠きは、好適には、各拡大領域の幅の２５〜７５パーセントの幅を有する。
【００３３】
図１０を含む、いずれの開示された実施形態においても、支持部材は図１、４、７に示されるように単一の弓形の部材であってもよいことが理解されなければいけない。反対に、図１、４、７を含む、いずれの開示された実施形態においても、支持部材は図１０に示されるように２つの高さ方向に離れた部材を含んでもよいことが理解されなければいけない。
【００３４】
本発明の使用および動作の方法については、上記記載から同様なことが明らかである。したがって、使用および動作の方法に関して、これ以上の説明をしない。
【００３５】
上記の記載に関し、本発明の部品の最適な寸法関係は、さまざまな寸法、材料、形状、構造、機能、動作方法、組立、使用を含むように、当業者には容易に理解されると判断され、説明されたものと同等の寸法関係は全て本願に含まれる。
【００３６】
したがって、前述のものは、発明の原理のみを説明するとみなされる。さらに、多くの修正と変更が当業者によって容易に想到されるため、説明され記載された構造と作用そのものに発明を限定することは望ましくない。よって、すべての適切な修正および均等物の採用が本発明の範囲に含まれる。
【図１】
2017086862.tif 000003
【図２】
2017086862.tif 000004
【図３】
2017086862.tif 000005
【図４】
2017086862.tif 000006
【図５】
2017086862.tif 000007
【図６】
2017086862.tif 000008
【図７】
2017086862.tif 000009
【図８】
2017086862.tif 000010
【図９】
2017086862.tif 000011
【図１０】
2017086862.tif 000012
【図１１】
2017086862.tif 000013
【図１２】
2017086862.tif 000014